(57)【特許請求の範囲】
【請求項１】
上部案内部材(1a)と下部案内部材(2a)の間に設けられた第１引き戸(C1)と第２引き戸(D2)を備え、該第１引き戸(C1)または／及び第２引き戸(D2)を移動させて開口部を開閉する食器棚または押入れの引き戸構造であって、
上部案内部材(1a)及び下部案内部材(2a)は同じ形状のガイド溝(200)をそれぞれ有し、下部案内部材(2a)と同じものを上部案内部材(1a)として使用でき、ガイド溝(200)(200)同士が向かい合うように下部案内部材(2a)と上部案内部材(1a)が対向させて配置してあり、
上記第１引き戸(C1)及び第２引き戸(D2)は、上部案内部材(1a)及び下部案内部材(2a)に設けてあるガイド溝(200)内を移動する案内ピンと、移動時に下部案内部材(2a)の上を走行する回動可能なボール(431)を備えた戸車と、を有し、該戸車は第１引き戸(C1)及び第２引き戸(D2)の下面に所定の間隔をおいてそれぞれ複数並設されてこれらの引き戸(C1)(D2)を支えており、
上記ガイド溝(200)の幅と溝の深さと、上記案内ピンの幅と高さ方向の位置とは、上記開口部を閉じたときには、第１引き戸(C1)及び第２引き戸(D2)が正面側を面一または本質的に面一にして横並び状態になり、該開口部を開いたときには、一方の引き戸が他方の引き戸の背面側に配置されるように、組み合わせて構成されており、
閉じた状態の第１引き戸(C1)または第２引き戸(D2)を移動させた場合でも、これらの引き戸(C1)(D2)の召合せ側同士が接触することを防止するように、一方の引き戸(C1)の召合せ側正面部(51)は、他方(D2)の引き戸(D2)の召合せ側背面部分(62)の傾斜に合わせ、背面側移動方向に同じ角度をもって傾斜して形成されており、
上部案内部材(1a)と下部案内部材(2a)の間には、第１引き戸(C1)と第２引き戸(D2)を閉じた状態のときに、これらの引き戸(C1)(D2)の隣接部分の境目を隠す目隠し部材(23)が設けてあり、
上部案内部材(1a)及び下部案内部材(2a)には、第１引き戸(C1)と第２引き戸(D2)を閉じた状態のときに、これらの引き戸(C1)(D2)と上部案内部材(1a)及び下部案内部材(2a)の間に形成される隙間を塞ぐカバー部材(10)(20)が設けてあり、
上記ガイド溝(200)は、第１引き戸(C1)と第２引き戸(D2)の左右方向の移動を案内する直行ガイド溝(8c,8d)及び収容ガイド溝(9c,9d)と、第１引き戸(C1)及び第２引き戸(D2)の正面・背面方向の移動を案内する召合せガイド溝(7c,7d)及び斜行ガイド溝(10c,10d)と、を有し、
上記召合せガイド溝(7c,7d)は、 第１引き戸(C1)と第２引き戸(D2)を閉じた状態のときに、これらの引き戸(C1)(D2)の一端部が上記目隠し部材(23)と本質的に接して気密性が確保されるように、上記直行ガイド溝(8c,8d)から正面側に向かって曲線状に設けてあり、
上記斜行ガイド溝(10c,10d)は、第１引き戸(C1)と第２引き戸(D2)を閉じた状態のときに、これらの引き戸(C1)(D2)の他端部(53)(63)が引き戸構造の枠(35)(36)の切込部(351)(361)内に嵌め入れられて気密性が確保されるように、直行ガイド溝(8c,8d)の直線上から外れて正面側へ曲線状に設けてあり、
第１引き戸(C1)と第２引き戸(D2)を閉じた状態では、これらの引き戸(C1)(D2)と上部案内部材(1a)及び下部案内部材(2a)の間に形成される隙間が上記カバー部材(10)(20)で塞がれており、更にこれらの引き戸(C1)(D2)の一端部が上記目隠し部材(23)と本質的に接すると共に、これらの引き戸(C1)(D2)の他端部(53)(63)が枠(35)(36)の切込部(351)(361)内に嵌め入れられ、引き戸構造の気密性が確保されるように構成されていることを特徴とする、
引き戸構造。
【発明の詳細な説明】
【０００１】
【発明の属する技術分野】
本発明は引き戸構造及び引き戸の開閉方法に関する。
更に詳しくは、引き戸を閉めたときの気密性を向上させた引き戸構造に関する。また、閉じた状態では開き戸のように見える引き戸構造及び引き戸の開閉方法に関する。
【０００２】
【従来技術】
建物の出入口や戸棚あるいは押入れ（クロゼット）等の開閉には、開き戸や引き戸などの建具が使用されている。
開き戸は、戸を手前あるいは奥側に移動させて開け閉めしなければならないので、開閉時に戸が動かせるスペースが必要である。また開き戸は、開閉時に身体を大きく動かす必要があり、身体が不自由なお年寄りや車椅子利用者にとっては使い勝手が悪い。
このような不都合を感じる人にとっては、開き戸よりも引き戸の方が利便性が高いと思われる。
【０００３】
【発明が解決しようとする課題】
しかしながら、従来の引き戸を使用した引き戸構造は、左右の戸板を引違えることによって開閉する形式であるため、引き戸同士がぶつからないように前後に少しばかり間隔あけて配置されている。したがって、機構的に気密構造にするのが困難であり、どうしても隙間から風やほこり等が侵入したり、冷・暖房運転時の冷気や暖気が漏れたり、更には外部の騒音が聞こえやすかった。
【０００４】
また、引き戸構造は日本の伝統的建具であるため、現在多く採用されるようになった洋風の建物様式では、引き戸自体が部屋に調和しにくいといった美観的な問題もあった。
【０００５】
（発明の目的）
そこで本発明の目的は、引き戸を閉めたときの気密性を向上させた引き戸構造及び引き戸の開閉方法を提供することにある。
本発明の他の目的は、閉じた状態では開き戸のように見える引き戸構造及び引き戸の開閉方法を提供することにある。
本発明の他の目的は、引き戸を円滑に引き違えることができる引き戸構造を提供することにある。
本発明の他の目的は、引き戸を案内するガイド溝を容易に製造することができる引き戸構造を提供することにある。
【０００６】
【課題を解決するための手段】
第１の発明にあっては、
上部案内部材(1a)と下部案内部材(2a)の間に設けられた第１引き戸(C1)と第２引き戸(D2)を備え、該第１引き戸(C1)または／及び第２引き戸(D2)を移動させて開口部を開閉する食器棚または押入れの引き戸構造であって、
上部案内部材(1a)及び下部案内部材(2a)は同じ形状のガイド溝(200)をそれぞれ有し、下部案内部材(2a)と同じものを上部案内部材(1a)として使用でき、ガイド溝(200)(200)同士が向かい合うように下部案内部材(2a)と上部案内部材(1a)が対向させて配置してあり、
上記第１引き戸(C1)及び第２引き戸(D2)は、上部案内部材(1a)及び下部案内部材(2a)に設けてあるガイド溝(200)内を移動する案内ピンと、移動時に下部案内部材(2a)の上を走行する回動可能なボール(431)を備えた戸車と、を有し、該戸車は第１引き戸(C1)及び第２引き戸(D2)の下面に所定の間隔をおいてそれぞれ複数並設されてこれらの引き戸(C1)(D2)を支えており、
上記ガイド溝(200)の幅と溝の深さと、上記案内ピンの幅と高さ方向の位置とは、上記開口部を閉じたときには、第１引き戸(C1)及び第２引き戸(D2)が正面側を面一または本質的に面一にして横並び状態になり、該開口部を開いたときには、一方の引き戸が他方の引き戸の背面側に配置されるように、組み合わせて構成されており、
閉じた状態の第１引き戸(C1)または第２引き戸(D2)を移動させた場合でも、これらの引き戸(C1)(D2)の召合せ側同士が接触することを防止するように、一方の引き戸(C1)の召合せ側正面部(51)は、他方(D2)の引き戸(D2)の召合せ側背面部分(62)の傾斜に合わせ、背面側移動方向に同じ角度をもって傾斜して形成されており、
上部案内部材(1a)と下部案内部材(2a)の間には、第１引き戸(C1)と第２引き戸(D2)を閉じた状態のときに、これらの引き戸(C1)(D2)の隣接部分の境目を隠す目隠し部材(23)が設けてあり、
上部案内部材(1a)及び下部案内部材(2a)には、第１引き戸(C1)と第２引き戸(D2)を閉じた状態のときに、これらの引き戸(C1)(D2)と上部案内部材(1a)及び下部案内部材(2a)の間に形成される隙間を塞ぐカバー部材(10)(20)が設けてあり、
上記ガイド溝(200)は、第１引き戸(C1)と第２引き戸(D2)の左右方向の移動を案内する直行ガイド溝(8c,8d)及び収容ガイド溝(9c,9d)と、第１引き戸(C1)及び第２引き戸(D2)の正面・背面方向の移動を案内する召合せガイド溝(7c,7d)及び斜行ガイド溝(10c,10d)と、を有し、
上記召合せガイド溝(7c,7d)は、 第１引き戸(C1)と第２引き戸(D2)を閉じた状態のときに、これらの引き戸(C1)(D2)の一端部が上記目隠し部材(23)と本質的に接して気密性が確保されるように、上記直行ガイド溝(8c,8d)から正面側に向かって曲線状に設けてあり、
上記斜行ガイド溝(10c,10d)は、第１引き戸(C1)と第２引き戸(D2)を閉じた状態のときに、これらの引き戸(C1)(D2)の他端部(53)(63)が引き戸構造の枠(35)(36)の切込部(351)(361)内に嵌め入れられて気密性が確保されるように、直行ガイド溝(8c,8d)の直線上から外れて正面側へ曲線状に設けてあり、
第１引き戸(C1)と第２引き戸(D2)を閉じた状態では、これらの引き戸(C1)(D2)と上部案内部材(1a)及び下部案内部材(2a)の間に形成される隙間が上記カバー部材(10)(20)で塞がれており、更にこれらの引き戸(C1)(D2)の一端部が上記目隠し部材(23)と本質的に接すると共に、これらの引き戸(C1)(D2)の他端部(53)(63)が枠(35)(36)の切込部(351)(361)内に嵌め入れられ、引き戸構造の気密性が確保されるように構成されていることを特徴とする、
引き戸構造である。
【００１７】
本発明に係る引き戸構造は、出入口の開閉機構（玄関、門、ガレージの出入り口等）、食器棚、押入の開口部、箪笥、雨戸など、通常、引き戸が用いられるものすべてに採用することができる。
【００１８】
本明細書にいう「第１引き戸または／及び第２引き戸」には、第１引き戸または第２引き戸のいずれか一方の場合もあるし、第１引き戸及び第２引き戸の両方を含む場合もある。
【００１９】
（作  用）
上部案内部材と下部案内部材の間に設けられた第１引き戸と第２引き戸を備え、該第１引き戸または／及び第２引き戸を移動させて開口部を開閉する引き戸構造は、次のように作用する。
開口部を閉じる方向に第２引き戸を移動させたとき、第２引き戸は閉じた状態の隣り合う第１引き戸の方向へ近づくよう移動し、開口部を閉じたときには、第２引き戸の一端部が第１引き戸の一端部と隣接し、且つ、第１引き戸と第２引き戸とが面一または本質的に面一になる。
したがって、各引き戸を閉めたときの気密性は高く、隙間から風やほこり等が侵入したり、冷・暖房運転時の冷気や暖気が漏れたり、更には外部の騒音が伝わりやすいといった不都合は生じにくい。
【００２０】
閉じた状態の第１引き戸と第２引き戸の隣接面のうち、上記第１引き戸の隣接面は傾斜して形成され、上記第２引き戸の隣接面は第１引き戸の隣接面に合致するように傾斜して形成されているものでは、各引き戸の隣接面は隙間なく合致するので、各引き戸を閉めたときの気密性はより向上する。
【００２１】
第１引き戸または第２引き戸の少なくともどちらか一方には、第１引き戸と第２引き戸を閉じた状態で、戸板の隣接部分の線を隠すカバー部材が設けてあるものでは、戸板の隣接部分をカバー部材が覆うので、各引き戸を閉めたときの気密性はより向上する。
【００２２】
上部案内部材及び下部案内部材に各引き戸との隙間を塞ぐカバー部材が設けてあるものでは、上記した場合と同様に、各引き戸を閉めたときの気密性はより向上する。
【００２３】
このように開口部を閉じた状態では、第１引き戸及び第２引き戸は面一または本質的に面一になるので、正面からはあたかも開き戸のように見える。したがって、洋風の部屋に使用したような場合でも、引き戸構造が調和しにくいといった美観的な問題は生じにくい。
【００２４】
開口部を閉じた状態で、第１引き戸及び第２引き戸が正面側を面一または本質的に面一にして横並びに状態になり、開口部を開いた状態で、一方の引き戸が他方の引き戸の背面側に配置される引き戸構造は、次のように作用する。
ガイド溝の幅と溝の深さと、案内部材が有する案内体の幅と高さ方向の位置との組み合わせにより、ガイド溝に切替金具等の他の切り替え手段を別途設けなくても、引き戸を円滑に引き違えることができる。
【００２５】
ガイド溝が、プレスまたは型成形によって形成されたガイドレールを設けることで構成されているものでは、ガイドレールを予めプラスチックや金属等で成形しておけば、木工フライス盤等の木工機械を使用してガイド溝を直接的に切削する場合と比較して、所定の深さの溝を容易に高精度で大量生産することができる。
【００２６】
【発明の実施の形態】
本発明を図面に示した実施の形態に基づき更に詳細に説明する。
［実施の形態１］
図１は本発明に係る引き戸構造を出入口の開閉機構に採用した場合の一実施の形態を示しており、第１引き戸と第２引き戸が両方とも閉められて面一となっている状態を示す正面視説明図、
図２は第１引き戸と第２引き戸の位置関係を示す平面視断面説明図であり、そのうちの(ａ)は第１引き戸と第２引き戸が両方とも閉められて面一となっている状態、(ｂ)は第２引き戸側の出入口を開いている途中の状態、(ｃ)は第２引き戸側の出入口を完全に開いた状態を示している。
図３は第１引き戸側の出入口を開いた状態を示す平面視断面説明図である。
また本実施の形態では、引き戸構造の正面・背面方向、上下方向及び左右方向について、図１を基に説明する。
【００２７】
図１に示す引き戸構造は、上部案内部材（上枠）である鴨居１と下部案内部材（下枠）である敷居２の間に移動可能に設けられた第１引き戸Ａ（図１で左側）と第２引き戸Ｂ（図１で右側）を備えている。
【００２８】
第１引き戸Ａと第２引き戸Ｂは、図１及び図２(ａ)に示すように、両方とも閉められた状態では面一または本質的に面一となる。そして、図２(ｂ)に示す矢印Ｉ方向に第２引き戸Ｂを移動させることで、図２(ｃ)に示すように第２引き戸Ｂを第１引き戸Ａの背面側に移動させ、第２引き戸Ｂ側の開口部である出入口を開くことができる。
【００２９】
また、第２引き戸Ｂを図２(ａ)の状態から例えば図３の状態まで少し移動させれば、左端にあった第１引き戸Ａを右側へ移動させることができ、第１引き戸Ａ側の出入口を開くことができる。
【００３０】
図４は図１に示す第１引き戸と第２引き戸を正面側の上斜め方向から見た説明図、
図５は図１に示す第１引き戸と第２引き戸を正面側の下斜め方向から見た説明図である。
以下、引き戸構造の各構成部材について、順を追って詳しく説明する。
【００３１】
図４に示す第１引き戸Ａと第２引き戸Ｂが両方とも閉められた状態で、各引き戸Ａ，Ｂの隣接部分が隙間なく合致するように、第１引き戸Ａの右端側３０は例えば約４５°に傾斜して形成され、第２引き戸Ｂの左端側４０は正面側が斜めに切り欠いて形成されている。なお、符号３１，４１は引手を示している。
【００３２】
また第１引き戸Ａの右端側正面には、第１引き戸Ａと第２引き戸Ｂが閉められた状態で戸板の隣接部分の線が正面側から見えないように、細長い直線状のカバー部材である召合せ３２が設けてある。
【００３３】
図６は敷居を示す平面視説明図、
図７は第２引き戸を開いて第１引き戸の背面側に移動させた状態を示す側面視拡大説明図、
図８は図５に示す第１引き戸の下部側に設けてあり、敷居の上面を走行する戸車を正面斜め方向から見た説明図、
図９は図５に示す第２引き戸の下部側に設けてあり、敷居のガイド溝を走行する案内部材と、敷居の上面を走行する戸車を正面斜め方向から見た説明図である。
なお、図７に示す第１引き戸及び第２引き戸は、その中間部分を一部省略して表している。
【００３４】
図６に示すように、敷居２には第１引き戸Ａの左右方向への移動を案内する第１ガイド溝２１が設けてある。第１ガイド溝２１は敷居２の左右方向に連続して設けてある。第１ガイド溝２１には、図５及び図７に示す第１引き戸Ａの下部側に設けてある戸車３３，３３のスライド板３３１，３３１が移動可能に嵌入れられる。
【００３５】
各スライド板３３１は図８に示すように、戸車３３の戸車枠（符号省略）の側面に固定して設けてあり、車輪３３２の回転の影響を受けない。一方、戸車３３の車輪３３２は、図７の下方に示すように、第１ガイド溝２１ではなく敷居２の上面を走行する。
なお、本実施の形態ではスライド板３３１を戸車３３に設けているが、特にこれに限定するものではなく、戸板自体に直接設けることもできる。
【００３６】
図６に示す第１ガイド溝２１に対して、第２ガイド溝２２は、非連続的に独立して設けてある二本のガイド溝２２１，２２２から構成されている。この第２ガイド溝２２は、第２引き戸Ｂの前後及び左右方向への移動を案内する。
【００３７】
第２ガイド溝２２のうち、図６で右側に配置されているガイド溝の一方２２２には、図５に示す第２引き戸Ｂの下面右側に設けてある案内部材の一方４２ａの回転体４２２が走行可能に嵌入れられる（嵌入れられた状態は図２(ａ)及び図７を参照）。また、図６で左側に配置されているガイド溝の他方２２１には、図５に示す第２引き戸Ｂの下面左側に設けてある案内部材の他方４２ｂの回転体４２２が走行可能に嵌入れられる（嵌入れられた状態は図２(ａ)を参照）。
【００３８】
案内部材４２ａは図９に示すように、第２引き戸Ｂの戸板下面側から下方へ突出した軸部４２１に回転可能に取り付けてある回転体４２２を備えている。この回転体４２２の回転により、案内部材４２ａはガイド溝２２２を円滑に走行できる。なお、第２引き戸が円滑に走行できれば、回転体４２２は必ずしも回転しなくても良い。
案内部材４２ｂの構造及び作用は、案内部材４２ａと同じか大体同じであるため、説明を省略する。
【００３９】
各案内部材４２ａ，４２ｂの回転体４２２，４２２は、下方に突出させた状態から上方へ（戸板下面部から上方へ）引っ込めた状態で固定できる。このように、突出した回転体４２２を引っ込めれば、第２引き戸Ｂの鴨居１及び敷居２への取り付けあるいは取り外しを容易に行うことができる。
なお、符号４２８は回転体４２２を引っ込める際に使用する摘みを示している。
【００４０】
この案内部材４２ａ，４２ｂは、第２引き戸Ｂの上面側に設けられた案内部材４２ｃ，４２ｄ（図４参照）と同じか大体同じであるので、詳しい構造及び作用については、案内部材４２ｃ，４２ｄと共に後述する。
【００４１】
図５及び図９に示すように、各案内部材４２ａ，４２ｂよりもやや中央寄りには、ボール４３１を備えた戸車４３がそれぞれ二箇所（第２引き戸Ｂに合計四箇所）並設されている。戸車４３，・・・は、公知技術を採用しているので、構造についての詳細な説明は省略する。戸車４３，・・・は、図９に示すように、戸板の下面部に背面側から形成された切欠部４４，・・・内で締付ネジ（符号省略）によって固定されており、並設された切欠部４４，４４の開口側（背面側）には板状のカバー部材４５が固定して設けてある。
【００４２】
戸車４３，・・・は、図７に示すように、第２ガイド溝２２ではなく敷居２の上面を走行し、第１ガイド溝２１にも落ち込むようなことはない。戸車４３，・・・を使用することにより、第２引き戸Ｂを容易に且つ円滑に前後方向及び左右方向に移動させることができる。
【００４３】
なお、敷居２の上面（少なくともガイド溝２１とガイド溝２２の間）には、第１引き戸Ａ及び第２引き戸Ｂを円滑に移動させるために、摩擦抵抗が低いプラスチック製や金属製の滑り板が設けられている。
【００４４】
図６を参照して、敷居２の第２ガイド溝２２について詳しく説明する。
第２ガイド溝２２のうち、右側に配置されたガイド溝の一方２２２は、敷居２のほぼ中央から右端側へ延びる直線部２２２ａと、直線部２２２ａに対し正面側（第１ガイド溝２１側）にやや曲げて形成された曲部２２２ｂから構成されている。
【００４５】
また、第２ガイド溝２２のうち、左側に配置されたガイド溝の他方２２１も同様に、敷居２の左端部側から中央側へ延びる直線部２２１ａと、直線部２２１ａに対し正面側（第１ガイド溝２１側）にやや曲げて形成された曲部２２１ｂから構成されている。
【００４６】
ガイド溝の他方２２１の曲部２２１ｂは、第１引き戸の右端部３０及び第２引き戸Ｂの左端部４０（図４参照）の傾斜角度を考慮して例えば約４５°に曲げられており、開口部を閉じる方向に第２引き戸Ｂを移動させたとき、第２引き戸Ｂの左端部４０が第１引き戸の右端部３０とスムーズに合致するようになっている。
また、ガイド溝の一方２２２の曲部２２２ｂは傾斜角度が小さく滑らかに形成されており、第２引き戸Ｂが抵抗なくスムーズに移動できるようになっている。
【００４７】
更に、ガイド溝の他方２２１の曲部２２１ｂの先部側は、ガイド溝の一方２２２の曲部２２２ｂの先部側よりも正面側に少し長く形成されており、第２引き戸Ｂを移動させて開口部を閉じたときに、閉じた状態の隣り合う第１引き戸Ａの右端部３０に第２引き戸Ｂが押されて隙間があくことを防止している。
ただし、上記した第２ガイド溝２２の形状は、あくまでも一つの例を示しており、特にこれに限定されない。
【００４８】
このように、第２ガイド溝２２に曲部２２１ｂ，２２２ｂを設けることで、（図２(ｃ)で第１引き戸Ａの背面側にある第２引き戸Ｂを、図２(ｂ)に示すように、第１引き戸Ａの右端側へ近づくように円滑に移動させることができる。
【００４９】
図１０は鴨居を示す底面視説明図、
図１１は図４に示す第１引き戸の上部側に設けてあり、鴨居のガイド溝を走行する案内部材を背面斜め方向から見た説明図、
図１２は図４に示す第２引き戸の上部側に設けてあり、鴨居のガイド溝を走行する案内部材を背面斜め方向から見た説明図である。
【００５０】
鴨居１は図１０に示すように、敷居２と上下対称か大体上下対称に形成されている。正面側で左右方向に連続して設けてある第１ガイド溝１１に、図４及び図７に示す第１引き戸Ａの上面両側に設けてある案内部材３４，３４が走行可能に嵌入れられる。
【００５１】
図１１に示すように、案内部材３４，３４は、第１引き戸Ａの上面部から上方へ突出した軸部３４１に回転可能に取り付けてある回転体３４２を備えている。
この回転体３４２を備えた軸部３４１は、側面の開口部３４３に上下方向に摺動可能に設けられた突出片３４４を下方へ移動させることにより、内部に設けてあるコイルバネ３４５に付勢して、戸板内部に引っ込めた状態で固定できる。そして、側面の押ボタン３４６を押すことにより、圧縮されたコイルバネ３４５の復元力によって回転体３４２を備えた軸部３４１は再び戸板上に突出する。
【００５２】
このように、突出した回転体３４２を内部に引っ込めれば、第１引き戸Ａの鴨居１及び敷居２への取り付けあるいは取り外しを容易に行うことができる。なお、案内部材３４は、公知技術を採用しているので、構造についての更に詳しい説明は省略する。
【００５３】
また、図１０で背面側に設けてある第２ガイド溝１２を構成するガイド溝１２１，１２２には、図４及び図１２に示す第２引き戸Ｂの上面両側に設けてある案内部材４２ｃ，４２ｄの回転体４２２，４２２が走行可能に嵌入れられる（嵌入れられた状態は図７を参照）。
【００５４】
案内部材４２ｄは、図１２に示すように、アルミ製で断面方形状の筒状体４２０の内部を上下に摺動可能な可動体４２３を備えている。可動体４２３の上面部には、上方へ突出した軸部４２１に回転可能に取り付けてある回転体４２２を備えている。可動体４２３のほぼ中央部分には、ガイド長孔４２４が上下方向に設けてあり、このガイド長孔４２４に筒状体４２０の背面側外面から二本の締付ネジ４２５，４２５が貫通して設けられ、締付ネジ４２５，４２５の先端は戸板に固定されている。
【００５５】
そして、図１２で筒状体４２０の左側の側面部及び可動体４２３の対応する所要箇所には貫通孔４２６が貫通して設けてある。この貫通孔４２６に筒状体４２０の外側からロックピン４２７を貫通させることによって、可動体４２３は回転体４２２が戸板の上面から突出した状態で保持される。このロックピン４２７を貫通孔４２６から抜けば、可動体４２３は自重によって下方に移動し、回転体４２２は戸板の上面側から下方へ引っ込む。
このように、突出した回転体４２２を内部に引っ込めることができるので、第２引き戸Ｂの鴨居１及び敷居２への取り付けあるいは取り外しを容易に行うことができる。
案内部材４２ｃは、案内部材４２ｄと同じか大体同じであるため、説明を省略する。
【００５６】
なお、案内部材４２ｄ（あるいは４２ｃ）の代わりに、図１１で示した案内部材３４を使用することもできる。この場合、鴨居１に設けられた第２ガイド溝２２（図６参照）をより正面側へ形成する。
【００５７】
また図７に示すように、敷居２の正面部には、第１引き戸Ａと敷居２及び第２引き戸Ｂと敷居２に形成される隙間を塞ぐために、長尺で板状に形成されたカバー部材２０が敷居２の上面からやや上方に張り出した状態で設けられている。また、鴨居１の正面部にも同様に、長尺で板状に形成されたカバー部材１０が鴨居１の下面からやや下方に張り出した状態で設けられている。
【００５８】
（作  用）
図１ないし図３を参照して、本実施の形態に係る引き戸構造について説明する。
第１引き戸Ａと第２引き戸Ｂは、図１及び図２(ａ)に示すように、両方とも閉められた状態では面一または本質的に面一となっている。そして、図２(ｂ)に示す矢印Ｉ方向に第２引き戸Ｂを移動させることで、図２(ｃ)に示すように第２引き戸Ｂを第１引き戸Ａの背面側に移動させ、第２引き戸Ｂ側の開口部である出入口を開くことができる。
【００５９】
また逆に、図２(ｃ)で示す状態から、出入口を閉じる方向に第２引き戸Ｂを移動させたとき、第２引き戸Ｂは閉じた状態の隣り合う第１引き戸Ａの方向へ近づくよう移動し、出入口を閉じたときには第１引き戸Ａと面一または本質的に面一になる。
【００６０】
このように、第１引き戸Ａ及び第２引き戸Ｂを閉めた状態では、第２引き戸の一端部が第１引き戸の一端部と隣接し、且つ、第１引き戸と第２引き戸とが面一または本質的に面一になる。したがって、各引き戸Ａ，Ｂを閉めたときの気密性は高く、隙間から風やほこり等が侵入したり、冷・暖房運転時の冷気や暖気が漏れたり、更には外部の騒音が伝わりやすいといった不都合は生じにくい。
【００６１】
更に、第１引き戸Ａの右端側正面に戸板同士の隣接箇所を隠す召合せ３２を設けたり、各引き戸Ａ，Ｂの隣接部分が隙間なく合致するように戸板を傾斜して形成したり、鴨居１及び敷居２に各引き戸Ａ，Ｂとの隙間を塞ぐカバー部材１０，２０をそれぞれ設けたりして、各引き戸Ａ，Ｂを閉めたときの気密性をより向上させている。
【００６２】
また出入口を閉じた状態では、各引き戸Ａ，Ｂは面一または本質的に面一になるので、正面からはあたかも開き戸のように見える。したがって、洋風の部屋に使用したような場合でも、引き戸構造が調和しにくいといった美観的な問題は生じにくい。
【００６３】
更に、本実施の形態に係る引き戸構造は、閉めた状態では隣接した状態で面一または本質的に面一になっているが、各引き戸Ａ，Ｂはそれぞれ独立して移動させることができるので、引き戸構造を例えば押入れに採用した場合には、各引き戸Ａ，Ｂを中央に移動させて左右両側をそれぞれ開口し、押入れ内の通気を良くすることができる。
【００６４】
本実施の形態では、第１引き戸Ａの移動に戸車３３とスライド板３３１を採用しているが、敷居２に戸車３３走行用のガイド溝を別に設ければ、戸車３３だけを使用して第１引き戸Ａを移動させることもできる。ただし、敷居２に戸車３３用のガイド溝を設けた場合、そのガイド溝はスライド板３３１用の第１ガイド溝２１よりも幅広くなり、第２引き戸Ｂの戸車４３が落ち込む可能性がある。したがって、本実施の形態のように、第１引き戸Ａの移動には戸車３３とスライド板３３１を採用した方が望ましい。
【００６５】
また、本実施の形態では、第２引き戸Ａの移動に案内部材４２ａ，４２ｂと戸車４３，・・・を採用しているが、敷居２に戸車４３，・・・走行用のガイド溝を別に設ければ、戸車４３，・・・だけを使用して第２引き戸Ｂを移動させることもできる。ただし、戸車４３は、その構造上、ガイド溝の内部を走行させるよりも、敷居２上面を走行させた方が円滑な移動ができる。したがって、本実施の形態のように、第２引き戸Ｂの移動には案内部材４２ａ，４２ｂと戸車４３，・・・を採用した方が望ましい。
【００６６】
［実施の形態２］
図１３は本発明に係る引き戸構造を食器棚の開閉機構に採用した場合の一実施の形態を示しており、第１引き戸と第２引き戸が両方とも閉められて面一となっている状態を示す引き戸構造の正面視説明図、
図１４は上部側の引き戸構造を構成する第１引き戸と第２引き戸の位置関係を示す平面視断面説明図であり、第１引き戸と第２引き戸が両方とも閉められて面一となっている状態を示している。
また本実施の形態では、引き戸構造の正面・背面方向、上下方向及び左右方向について、図１３を基に説明する。
【００６７】
なお、第１の実施の形態と同一または同等箇所には同一の符号を付して示している。また、第１の実施の形態で示してある箇所については、説明を省略し、主に相異点を説明する。
【００６８】
本実施の形態では、食器棚の上部側及び下部側にそれぞれ設けてある開閉機構５，６に、第１引き戸Ａ１及び第２引き戸Ｂ１、あるいは第１引き戸Ａ２及び第２引き戸Ｂ２を備えた引き戸構造を採用している。
【００６９】
食器棚の上部側には、ガラスが嵌め込まれた第１引き戸Ａ１及び第２引き戸Ｂ１が左右に移動可能に設けてある。第１引き戸Ａ１及び第２引き戸Ｂ１は、やや円弧状にカーブして形成されている。
食器棚の下部側には、平面状に形成された木製の第１引き戸Ａ１及び第２引き戸Ｂ１が左右に移動可能に設けてある。
【００７０】
このように、本実施の形態に係る引き戸構造を採用することで、デザイン的にも優れた装飾効果の高い食器棚を形成することができる。
その他の構成及び作用は、第１の実施の形態と大体において同じであるため、説明を省略する。
【００７１】
［実施の形態３］
図１５は、本発明に係る引き戸構造を出入口の開閉機構に採用した場合の他の実施の形態を示しており、第１引き戸と第２引き戸が両方とも閉められて面一となっている状態を示す正面視説明図である。
図１６は、図１５のII−II部分に対応する断面を示す拡大説明図である。
【００７２】
図１７は、図１６で左側の第１引き戸を移動させて、左側の出入口を段階的に開いている状態を示す概略説明図である。
図１８は、図１６で右側の第２引き戸を移動させて、右側の出入口を段階的に開いている状態を示す概略説明図である。
なお、図１７及び図１８では、説明の都合上、移動させている方の引き戸を想像線（二点鎖線）で図示している。
【００７３】
図１５に示す引き戸構造は、第１引き戸Ｃ１（図１５で左側）と第２引き戸Ｄ２（図１５で右側）を備えている。第１引き戸Ｃ１と第２引き戸Ｄ２（本明細書では「各引き戸Ｃ１，Ｄ２」、「両引き戸Ｃ１，Ｄ２」という場合がある）は、上部案内部材（上枠）である鴨居１ａと、下部案内部材（下枠）である敷居２ａの間に移動可能に設けられている。
【００７４】
第１引き戸Ｃ１と第２引き戸Ｄ２は、図１５及び図１６に示すように、両方とも閉められた状態では、面一または本質的に面一となって横並びに状態になる。
そして、左側の第１引き戸Ｃ１については、図１７(ａ)から(ｃ)に示すように、第１引き戸Ｃ１を第２引き戸Ｄ２の背面側に移動させることで、左側の第１引き戸Ｄ２側の開口部である出入口を開くことができる。
また、第２引き戸Ｄ２についても同様で、図１８(ａ)から(ｃ)に示すように、右側の第２引き戸Ｄ２を第１引き戸Ｃ１の背面側に移動させることで、右側の開口部である出入口を開くことができる。
【００７５】
図１９は、図１６に示す敷居の長手方向の中間部分を示す要部拡大説明図である。
図２０は、図１９の矢印III−III、IV−IV、V−V部分に対応する端面を示す概略説明図である。
図２１は、図１９の斜視説明図である。
なお、図２１、後述する図２６及び図２９については、便宜上、第１引き戸Ｃ１または第２引き戸Ｄ２の下側の一部を想像線で図示している。
【００７６】
以下、引き戸構造の各構成部材について、順を追って詳しく説明する。
【００７７】
まず、第１引き戸Ｃ１及び第２引き戸Ｄ２について説明する。
図１６に示すように、第１引き戸Ｃ１と第２引き戸Ｄ２が両方とも閉められた状態では、正面側から見て第１引き戸Ｃ１と第２引き戸Ｄ２の間に本質的に隙間が生じないようになっている。
【００７８】
即ち、図１５に示すように、鴨居１ａと敷居２ａの間には、細長い直線状（棒状）のカバー部材である目隠し部材２３が橋渡して設けてある。目隠し部材２３の下端部は、敷居２ａの正面側に設けてあるカバー部材２０の長手方向のほぼ中間部に固定されている。目隠し部材２３の上端部も同様に、鴨居１ａの正面側に設けてあるカバー部材１０の長手方向のほぼ中間部に固定されている。
【００７９】
図１９に示すように、目隠し部材２３は、第１引き戸Ｃ１及び第２引き戸Ｄ２の召合せ側（内側）の外形に合わせ、その背面側に断面が三角形状の合わせ部２３１を備えている。
【００８０】
これに対し、左側の第１引き戸Ｃ１の長手方向の右端側正面部５１は、上記した目隠し部材２３の合わせ部２３１の左側面部の傾斜に合わせ、図１９で背面右側方向に約４５°の角度をもって傾斜させてある。
また、右側の第２引き戸Ｄ２の長手方向の左端側正面部６１も同様、上記した目隠し部材２３の合わせ部２３１の右側面部の傾斜に合わせ、背面左側方向に約４５°の角度をもって傾斜させてある。
このような構成により、第１引き戸Ｃ１と第２引き戸Ｄ２が両方とも閉められた状態では、第１引き戸Ｃ１及び第２引き戸Ｄ２の召合せ側は、目隠し部材２３に隣接し、正面側から見て本質的な隙間が生じないようになっている。
【００８１】
更に、第１引き戸Ｃ１の右端側背面部分５２は、背面左側方向に約４５°の角度をもって傾斜させてある。
第２引き戸Ｄ２の左端側背面部分６２も同様、背面右側方向に約４５°の角度をもって傾斜させてある。
このような構成により、図１７及び図１８に示すように、第１引き戸Ｃ１または第２引き戸Ｄ２を移動させた場合でも、各引き戸Ｃ１，Ｄ２の召合せ側（内側）同士が接触することを防止している。
【００８２】
一方、図１６で、第１引き戸Ｃ１の長手方向の左端部分５３は、その断面がほぼ直角状に形成されている。そして、その左端部分５３は、引き戸構造の枠を構成する左側の柱部材３５（縦枠）の内側に全高に渡り設けてある切込部３５１（後述する切込部３６１と同様、「戸じゃくり」とも称される）に嵌め入れ自在となっている。  また第２引き戸Ｄ２の長手方向の右端部分６３も同様に、その断面がほぼ直角状に形成され、引き戸構造の枠を構成する右側の柱部材３６（縦枠）の内側に全高に渡り設けてある切込部３６１に、嵌め入れ自在となっている。
【００８３】
敷居２ａには、図１６に示すように、各引き戸Ｃ１，Ｄ２の移動を案内するガイド溝２００が設けてある。
ガイド溝２００は、その長手方向の中間部を境に、本質的に左右対称に形成されている。また、後述するように、ガイド溝２００の深さはすべて同じではなく、所定箇所に所定の深さの溝が形成されている。なお、後述するように、溝の深さは「深」、「中」、「浅」と三段階に分けて設定されている。
【００８４】
図２２は、第１引き戸及び第２引き戸の上部側及び下部側をそれぞれ拡大した正面視説明図で、各引き戸の長手方向の中央部分及び短辺方向の中央部分を一部省略して図示している。
図２３は、第１引き戸Ａ及び第２引き戸に設けられた、敷居（鴨居）のガイド溝を走行する各案内部材を示す拡大斜視説明図である。
【００８５】
図２２に示すように、各引き戸Ｃ１，Ｄ２の下面側に設けてある案内部材である各案内ピン５４ｃ，５５ｃ，６４ｄ，５４ｄが、上記ガイド溝２００を走行する。各案内ピン５４ｃ，５５ｃ，６４ｄ，５４ｄは、図１６に示すように、各引き戸Ｃ１，Ｄ２の左右両側にそれぞれ（両引き戸Ｃ１，Ｄ２合わせて、合計４箇所）設けてある。
そうして、本実施の形態では、ガイド溝２００の幅と溝の深さと、後述する案内ピン５４ｃ，５５ｃ，６４ｄ，５４ｄが有する案内体５４２の幅と高さ方向の位置との組み合わせにより、ガイド溝２００の所定の位置に切替金具等の他の切り替え手段を別途設けなくても、引き戸を円滑に引き違えることができる。
【００８６】
まず、各引き戸Ｃ１，Ｄ２の敷居２ａ側に設けてある案内ピンについて、説明する。
なお、説明の都合上、図２２で第１引き戸Ｃ１の下面左側に設けてあるものを「左案内ピン５４ｃ」、右側に設けてあるものを「右案内ピン５５ｃ」とする。
また、第２引き戸Ｄ２の下面左側に設けてあるものを「左案内ピン６４ｄ」、右側に設けてあるものを「右案内ピン５４ｄ」とする。
【００８７】
図２３は各案内ピン５４ｃ，５５ｃ，６４ｄ，５４ｄの拡大斜視説明図で、そのうち(ａ)は第１引き戸Ｃ１の左案内ピン５４ｃ及び第２引き戸Ｄ２の右案内ピン５４ｄを示し、(ｂ)は第１引き戸Ｃ１の右案内ピン５５ｃを示し、(ｃ)は第２引き戸Ｄ２の左案内ピン６４ｄを示している。
各案内ピン５４ｃ,…は、後述するように、同じ構成部材で構成されているが、その軸芯方向の長さや全体形状が多少異なっている。
【００８８】
図２２に示す第１引き戸Ｃ１の左案内ピン５４ｃと、第２引き戸Ｄ２の右案内ピン５４ｄは、図２３(ａ)に示すように、同じか大体同じものである。左案内ピン５４ｃと右案内ピン５４ｄは、各引き戸Ｃ１，Ｄ２の戸板下面側から下方へ突出した軸部５４１の先部側に、円柱状の回転体（案内ローラ）である案内体５４２を回転可能に備えている。更に、軸部５４１には、上記した案内体５４２よりも径が小さい案内体（案内ローラ）である回転体５４３,…が上下に回転可能に３段に重ねて設けてある。
【００８９】
図２２に示す第１引き戸Ｃ１の右案内ピン５５ｃは、図２３(ｂ)に示すように、第１引き戸Ｃ１の左案内ピン５４ｃ（図２３(ａ)参照）と本質的に同じような構造であるが、左案内ピン５４ｃよりも軸芯方向の長さが短い。詳しくは、軸部５５１に管状の回転体５４３が１つ設けてある。軸部５５１の先部側に回転可能に設けてある案内体５４２は、図２３(ａ)に示す左案内ピン５４ｃの案内体５４２と同じか大体同じである。
【００９０】
図２２に示す第２引き戸Ｄ２の左案内ピン６４ｄは、図２３(ｃ)に示すように、軸部５４１の先部側に、管状の回転体５４３を回転可能に２箇所重ねて有している。更に、回転体５４３，５４３の上に、径の大きな円柱状の回転体である案内体５４２を回転可能に備えている。案内体５４２は、図２３(ａ)，(ｂ)に示す左案内ピン５４ｃ及び右案内ピン５５ｃの案内体５４２と同じか大体同じである。
【００９１】
なお、図２２では図示を省略しているが、各案内ピン５４ｃ，５５ｃ，６４ｄ，５４ｄは、第１の実施の形態に係る引き戸構造の案内部材３４（図１１参照）のように、引き戸本体の内部に収納可能な構成となっている。よって、突出した各案内ピン５４ｃ,…を引き戸本体の内部に引っ込めれば、第１の実施の形態と同様、鴨居１ａ、敷居２ａへの第１引き戸Ｃ１及び第２引き戸Ｄ２の取り付けあるいは取り外しを容易に行うことができる。
【００９２】
また、図１６または図２２に示すように、各引き戸Ｃ１，Ｄ２の下面には、回転可能なボール４３１を備えた戸車が設けてある。ボール４３１を備えた戸車の全体構造については、第１の実施の形態に係る戸車４３（図９参照）と同じか大体同じ構造であるため、図示を簡略化している。
【００９３】
ボール４３１を備えた戸車（以下、単に「ボール４３１」という）は、図１６に示すように、各引き戸Ｃ１，Ｄ２ごとに所定の間隔をおいてそれぞれ４箇所（両方の引き戸Ｃ１，Ｄ２合わせて合計８箇所）並設されている。図１６、図１７及び図１８に示すように、ボール４３１,…はガイド溝２００ではなく、ガイド溝２００が設けられていない敷居２ａ上面側（ガイド溝２００上も含む）を走行する。このボール４３１,…によって、引き戸Ｃ１，Ｄ２本体の敷居２ａにかかる荷重を支えている。
【００９４】
このボール４３１，…を使用することにより、引き戸Ｃ１，Ｄ２を容易に且つ円滑に正面・背面方向及び左右方向に移動させることができる。なお、引き戸Ｃ１，Ｄ２が移動することによって、ボール４３１,…がガイド溝２００の上面を走行することはあるが、複数あるうちのいずれかのボール４３１,…が、ガイド溝２００が設けられていない敷居２ａ上面を走行して引き戸Ｃ１，Ｄ２を支えており、引き戸Ｃ１，Ｄ２が傾くなどの不都合が生じることを防止している。
【００９５】
なお、図示はしていないが、図１６で、少なくともボール４３１,…が走行する敷居２ａ上面の所要箇所には、第１の実施の形態と同様に、各引き戸Ｃ１，Ｄ２を円滑に移動させるために、摩擦抵抗が低いプラスチック製や金属製の滑り板が設けられている。
【００９６】
図１６で敷居２ａに設けてあるガイド溝２００について、詳しく説明する。
ガイド溝２００は、敷居２ａの長手方向の中間部分から左右両側に向かって、召合せガイド溝７ｃ，７ｄ、直行ガイド溝８ｃ，８ｄ、収容ガイド溝９ｃ，９ｄ及び斜行ガイド溝１０ｃ，１０ｄを有している。
【００９７】
直行ガイド溝８ｃ，８ｄ及び収容ガイド溝９ｃ，９ｄは、各引き戸Ｃ１，Ｄ２の主に左右方向への移動を案内する。これに対し、召合せガイド溝７ｃ，７ｄ及び斜行ガイド溝１０ｃ，１０ｄは、各引き戸Ｃ１，Ｄ２の主に正面方向または背面方向への移動を案内する。
【００９８】
なお、説明の都合上、ガイド溝２００の長手方向の中間部分を境にして、図１６で左側に設けてある各ガイド溝を第１のガイド溝とし、右側に設けてあるガイド溝を第２のガイド溝とする。
左側の第１のガイド溝は、中央から、第１召合せガイド溝７ｃ、第１直行ガイド溝８ｃ、第１収容ガイド溝９ｃ及び第１斜行ガイド溝１０ｃを備えている。
右側の第２のガイド溝は、中央から、第２召合せガイド溝７ｄ、第２直行ガイド溝８ｄ、第２収容ガイド溝９ｄ及び第２斜行ガイド溝１０ｄを備えている。
【００９９】
第１直行ガイド溝８ｃ及び第２直行ガイド溝８ｄについて説明する。
各直行ガイド溝８ｃ，８ｄは、ガイド溝２００の長手方向の中間部の両側を始点として、左右両側に向かって本質的に直線状に設けてある。各直行ガイド溝８ｃ，８ｄの深さは同じか大体同じであり、三段階のうちの「深」に設定されている。
【０１００】
第１召合せガイド溝７ｃ及び第２召合せガイド溝７ｄについて説明する。
各召合せガイド溝７ｃ，７ｄは、図１６でガイド溝２００の長手方向の中間部分に位置し、左右両外側に位置する各直行ガイド溝と８ｃ，８ｄと連続している。各召合せガイド溝７ｃ，７ｄは、図１９に示すように、互いに交差する湾曲部分を有している（あたかも楕円を、中心を通り直交する二つの直線で４分の１に分断し、その分断した円周部の二つを位置をずらして交差させたような形状となっている）。
【０１０１】
図１９で左側の第１召合せガイド溝７ｃには、左側の第１引き戸Ｃ１の右案内ピン５５ｃが走行する。第１召合せガイド溝７ｃは、図２０(ａ)及び図２１に示すように、後述する第２召合せガイド溝７ｄ（図２０(ｂ)参照）の深さよりも一段高く、３段階のうちの「浅」に設定されている。
【０１０２】
図１９で右側の第２召合せガイド溝７ｄには、右側の第２引き戸Ｄ２の左案内ピン６４ｄが走行する。第２召合せガイド溝７ｄは、図２０（ｂ）及び図２１に示すように、第１直行ガイド溝８ｃ及び第２直行ガイド溝８ｄ（図２０(ｃ)参照）よりも一段高く、第１召合せガイド溝７ｃ（図２０(ａ)参照）よりも一段低い３段階のうちの「中」の深さとなっている。よって、第２召合せガイド溝７ｄと第１召合せガイド溝７ｃとの交差部分には、溝の深さの違いによって生じる段差である通過防止部７１２が形成されている。
【０１０３】
また、図１９及び図２１に示すように、第１召合せガイド溝７ｃと交差する部分を除いて、第２召合せガイド溝７ｄの内縁部には、溝の幅を狭くすることによって生じる段差である通過防止部７１ｄ（図２０(ｂ)も参照）が連続して設けてある。この通過防止部７１ｄ上を、図２２に示す第２引き戸Ｄ２の左案内ピン６４ｄの案内体５４２がスライド走行し、通過防止部７１ｄで囲まれた凹部７１１を管状の回転体５４３，５４３（図２３(ｂ)も参照）が走行する。通過防止部７１ｄの深さは、図２０（ｂ）に示すように、「浅」に設定された第１召合せガイド溝７ｃ（図２０（ａ）参照）よりも一段浅く形成されている。
【０１０４】
図２４は、図１６に示す敷居の長手方向の左端部分を示す要部拡大説明図である。
図２５は、図２４の矢印VI−VI部分、VII−VII部分、VIII−VIIIの通過防止部側に対応する端面を示す概略説明図である。
図２６は、図２４に示す敷居の長手方向の左端部分を、敷居の中央側から見た要部拡大斜視説明図である。
【０１０５】
第１収容ガイド溝９ｃ及び第１斜行ガイド溝１０ｃについて説明する。
図２４に示すように、左側の第１収容ガイド溝９ｃは、第１直行ガイド溝８ｃの左端側から左側方へ直線状に連続して設けてある。第１収容ガイド溝９ｃは、図２５（ａ）及び図２６に示すように、深さが「深」に設定された第１直行ガイド溝８ｃ及び第１収容ガイド溝１０ｃ（図２５(ｂ)参照）よりも一段高く、３段階のうちの「中」の深さとなっている。これにより、第１収容ガイド溝９ｃと第２直行ガイド溝８ｃとの境には、溝の深さの違いによって生じる段差（側面部）である通過防止部９２ｃが形成されている。
【０１０６】
更に、第１収容ガイド溝９ｃの内縁部には、溝の幅を狭くすることによって生じる段差である通過防止部９１ｃ（図２５（ａ）も参照）が連続して設けてある。通過防止部９１ｃの深さは、図２１で示した第２召合せガイド溝７ｄの通過防止部７１ｄと同じか大体同じである。
【０１０７】
図１６で第１斜行ガイド溝１０ｃは、第１直行ガイド溝８ｃの左側外方へややカーブしながら連続して設けてあり、中央部分が正面側へやや反った状態で形成されている。第１斜行ガイド溝１０ｃは、図２５（ｂ）及び図２６に示すように、第１直行ガイド溝８ｃと同じか大体同じ深さで三段階の「深」に設定されている。
【０１０８】
第１斜行ガイド溝１０ｃを、第１引き戸Ｃ１の左案内ピン５４ｃが走行する。
第１斜行ガイド溝１０ｃの基端側（第１直行ガイド溝８ｃと連続する側）の上面側内縁部には、図１９に示す第２引き戸Ｄ２の左案内ピン６４ｄの通過を防止する通過防止部１００ｃ，１００ｃ（図２５(ｃ)参照）が向かい合うようにして設けてある。通過防止部１００ｃ，１００ｃにより、第１斜行ガイド溝１０ｃの基端側は、幅が狭くなっている。
【０１０９】
この通過防止部１００ｃ，１００ｃにより、図２５(ｃ)に示すように、第１斜行ガイド溝１０ｃの基端側（第１直行ガイド溝８ｃと連続する側）の間隙（後述する選択通過部１０１ｃの上部側）は、その幅の広さが狭くなっており、第１直行ガイド溝８ｃの幅よりも狭くなっている。
ただし、図２５(ｃ)に示すように、通過防止部１００ｃ，１００ｃの下方側は、第１直行ガイド溝８ｃと同じか大体同じ幅になっており、選択通過部１０１ｃを構成している。選択通過部１０１ｃは、第１引き戸Ｃ１の左案内ピン５４ｃ（図２２も参照）が、第１収容ガイド溝１０ｃと第１直行ガイド溝８ｃの間で通過することを妨げない。
【０１１０】
図２７は、図１６に示す敷居の長手方向の右端部分を示す要部拡大説明図である。
図２８は、図２７の矢印IX−IX部分、X−Xの通過防止部側、XII−XII部分に対応する端面を示す概略説明図である。
図２９は、図２７に示す敷居の長手方向の右端部分を、敷居の中央側から見た要部拡大斜視説明図である。
【０１１１】
第２収容ガイド溝９ｄ及び第２斜行ガイド溝１０ｄについて説明する。
図２７に示すように、右側の第２収容ガイド溝９ｄは、第２直行ガイド溝８ｄの右端側から右側方へ直線状に連続して設けてある。第２収容ガイド溝９ｄは、図２８（ａ）及び図２９に示すように、深さが「深」に設定された第２直行ガイド溝８ｄ及び第２収容ガイド溝１０ｄ（図２８(ｃ)参照）よりも、更に二段分高く、三段目の「浅」に設定されている。これにより、第２収容ガイド溝９ｄと第２直行ガイド溝８ｄとの境には、溝の深さの違いによって生じる段差（側面部）である通過防止部９２ｄが形成されている。
【０１１２】
第２斜行ガイド溝１０ｄは、左側の第１斜行ガイド溝１０ｃと左右対称に形成され、第２直行ガイド溝８ｄの深さと同じか大体同じ「深」に設定されている。
【０１１３】
第２斜行ガイド溝内１０ｄを、第２引き戸Ｄ２の右案内ピン５４ｄが走行する。第２斜行ガイド溝１０ｄにも、左側の第１斜行ガイド溝１０ｃと同様（ただし、左右対称）、図２８（ｂ）及び図２９に示すように、通過防止部１００ｄ，１００ｄ及び選択通過部１０１ｄが設けられている。
【０１１４】
選択通過部１０１ｄは、第２引き戸Ｄ２の右案内ピン５４ｄ（図２２も参照）が、第２収容ガイド溝１０ｄと第１直行ガイド溝８ｄの間で通過することを妨げられない。
【０１１５】
以上説明した敷居２ａに対し、鴨居１ａは図示を省略しているが、敷居２ａと同じか大体同じ構造となっている。つまり、敷居２ａと鴨居１ａのガイド溝２００の形状は同じか大体同じであり、製造に際し、敷居２ａと同じものを鴨居１ａとして使用することができる。そして、ガイド溝２００，２００同士が向かい合うように、敷居２ａと鴨居１ａを対向させて配置してある。
【０１１６】
しかしながら、同じか大体同じガイド溝２００を有する敷居２ａと鴨居１ａを向かい合わせに配置しているため、図１６で敷居２ａのガイド溝２００の左側の形状は、図１５で鴨居１ａの右側に位置し、敷居２ａのガイド溝２００の右側の形状は、図１５で鴨居１ａの左側に位置する。
【０１１７】
また上記した鴨居１ａに伴い、第１引き戸Ｃ１の底面側の右案内ピン５５ｃは、第２引き戸Ｄ２の上面側の左端側に位置し、第２引き戸Ｄ２の底面側の左案内ピン６４ｄは、第１引き戸Ｃ１の上面側の右端側に位置する。
【０１１８】
なお、本実施の形態とは相違して、ガイド溝２００が向かい合う上下で同じ構成になるように、鴨居１ａと敷居２ａを別々に形成すれば、各引き戸Ｃ１，Ｄ２の上面部の召合せ側（内側）に設けられる各案内ピン６４ｄ，５５ｃは、図２２とは異なり、底面部と上下同じ位置関係となる。つまり、第１引き戸Ｃ１の底面側の右案内ピン５５ｃは、第１引き戸Ｄ２の上面の右端側に位置し、第２引き戸Ｄ２の底面側の左案内ピン６４ｄは、第１引き戸Ｃ１の上面側の左端側に位置する。
【０１１９】
（作  用）
図１６に示すように、第１引き戸Ｃ１と第２引き戸Ｄ２が両方とも閉められている状態では、第１引き戸Ｃ１と第２引き戸Ｄ２の正面側は面一または本質的に面一になって、横並びに状態になる。
また、第１引き戸Ｃ１と第２引き戸Ｄ２の召合せ側（内側）は、目隠し部材２３と本質的に隙間が生じないように接し、第１引き戸Ｃ１の左端部分５３と第２引き戸Ｄ２の右端部分６３は、それぞれ各柱部材３５，３６の切込部３５１，３６１内に嵌め入れられている。したがって、各引き戸Ｃ１，Ｄ２を閉めたときの気密性は高く、第１の実施の形態と同様な効果が得られる。
【０１２０】
また、図１６で示す出入口を閉じた状態では、第１引き戸Ｃ１の左案内ピン５４ｃは、第１斜行ガイド溝１０ｃの先部側に位置し、右案内ピン５５ｃは、第１召合せガイド溝７ｃの先部側に位置している。
一方、第２引き戸Ｄ２の左案内ピン６４ｄは、第２召合せガイド溝７ｄの先部側に位置し、右案内ピン５４ｄは、第２斜行ガイド溝１０ｄの先部側に位置している。
【０１２１】
左側の第１引き戸Ｃ１を移動させた場合のガイド溝２００を走行する各案内ピン５４ｃ，５５ｃの動きについて説明する。
図３０は、図１７(ａ)に対応し、第１引き戸の右案内ピンの動きを示す拡大斜視説明図である。
図３１は、図１７(ｂ)に対応し、第１引き戸の左案内ピンの動きを示す拡大斜視説明図である。
図３２は、図１７(ｃ)に対応し、第１引き戸の右案内ピンの動きを示す拡大斜視説明図である。
なお、便宜上、第１引き戸Ｃ１の下側の一部を想像線で図示している。
図１６、図１７、図２２、図３０ないし図３２を参照する。
【０１２２】
＜図１６から図１７(ａ)に示す状態まで、第１引き戸Ｃ１を移動させた場合＞
第１引き戸Ｃ１の左案内ピン５４ｃは、第１斜行ガイド溝１０ｃを走行しながら左から右側へ移動する。
第１引き戸Ｃ１の右案内ピン５５ｃは、図３０に示すように、第１召合せガイド溝７ｃから第２直行ガイド溝８ｄ側へ走行し、右側の第２召合せガイド溝７ｄ内に入り込むことは防止されている。この理由は以下の通りである。
【０１２３】
第１引き戸Ｃ１の右案内ピン５５ｃは、図２２に示すように、第１引き戸Ｃ１の左案内ピン５４ｃよりも短く、図３０で示す深さが「浅」に設定された第１召合せガイド溝７ｃを走行する。
一方、右側の第２召合せガイド溝７ｄには、その内縁部に通過防止部７１ｄが設けてある。よって、第１引き戸Ｃ１の右案内ピン５５ｃの案内体５４２と同じ高さにある第２召合せガイド溝７ｄ部分は、幅が狭くなっている。これにより、第１引き戸Ｃ１の右案内ピン５５ｃは、第２召合せガイド溝７ｄ内に入り込むことはない。
【０１２４】
＜更に図１７(ｂ)に示す状態まで、第１引き戸Ｃ１を移動させた場合＞
第１引き戸Ｃ１の左案内ピン５４ｃは、図３１に示すように、第１斜行ガイド溝１０ｃを通過して第１直行ガイド溝８ｃを走行する。この理由は以下の通りである。
【０１２５】
図２２に示すように、第１引き戸Ｃ１の左案内ピン５４ｃの案内体５４２は、右案内ピン５５ｃの案内体５４２よりも高さ方向の位置が低い。
また、図３１に示すように、第１収容ガイド溝９ｃと第１直行ガイド溝８ｃとの境目には、通過防止部９２ｃが形成されている。
このため、第１引き戸Ｃ１の左案内ピン５４ｃは、案内体５４２が通過防止部９２ｃに沿いながら（当接しながら）、第１収容ガイド溝１０ｃから第１直行ガイド溝８ｃへと走行する。
【０１２６】
逆に、出入口を閉める方向に（敷居２ａの右側へ）第１引き戸Ｃ１を移動させた場合、第１引き戸Ｃ１の左案内ピン５４ｃは、通過防止部９２ｃに沿いながら（当接しながら）移動し、第１直行ガイド溝８ｃから第１収容ガイド溝９ｃに入り込むことはない。
【０１２７】
＜更に図１７(ｃ)に示す状態まで、第１引き戸Ｃ１を移動させた場合＞
図１７(ｃ)に示すように、第１引き戸Ｃ１の左案内ピン５４ｃ及び右案内ピン５５ｃは、第１直行ガイド溝８ｃ及び第２直行ガイド溝８ｄを走行しながら右側へ移動する。
【０１２８】
次いで、第１引き戸Ｃ１は更に右側へ移動することで、右案内ピン５５ｃは第２直行ガイド溝８ｄを経て第２収容ガイド溝９ｄを走行する。その際、第１引き戸Ｃ１の右案内ピン５５ｃは、第２斜行ガイド溝１０ｄ内に入り込むことが防止されている。この理由は以下の通りである。
【０１２９】
図２２に示すように、第１引き戸Ｃ１の右案内ピン５５ｃの案内体５４２は、左案内ピン５４ｃよりも高さ方向の位置が高い。また、右案内ピン５５ｃの案内体５４２の外径は、図３２に示すように、第２斜行ガイド溝１０ｄ側の基端側に設けてある通過防止部１００ｄ，１００ｄによって挟まれる間隙（選択通過部１０１ｄの上部側）の幅よりも大きい。
つまり、右案内ピン５５ｃの案内体５４２は、通過防止部１００ｄ，１００ｄに当たるような高さに設定されている。
したがって、右案内ピン５５ｃは、通過防止部１００ｄ，１００ｄが邪魔になり、第２斜行ガイド溝１０ｄに入り込むことはない。
【０１３０】
次に、右側の第２引き戸Ｄ２を移動させた場合のガイド溝２００を走行する各案内ピン６４ｄ，５４ｄの動きについて説明する。
図３３は、図１８(ａ)に対応し、第２引き戸の左案内ピンの動きを示す拡大斜視説明図である。
図３４は、図１８(ｂ)に対応し、第２引き戸の右案内ピンの動きを示す拡大斜視説明図である。
図３５は、図１８(ｃ)に対応し、第２引き戸の左案内ピンの動きを示す拡大斜視説明図である。
なお、便宜上、第２引き戸Ｄ２の下側の一部を想像線で図示している。
図１６、図１８、図２２、図３３ないし図３５を参照する。
【０１３１】
＜図１６から図１８(ａ)に示す状態まで、第２引き戸Ｄ２を移動させた場合＞
第２引き戸Ｄ２の右案内ピン５４ｄは、第２斜行ガイド溝１０ｄを走行しながら、右から左側へ移動する。
第２引き戸Ｄ２の左案内ピン６４ｄは、図３３に示すように、第２召合せガイド溝７ｄから第１直行ガイド溝８ｃへ走行し、左側の第１召合せガイド溝内７ｃに入り込むことは防止されている。この理由は以下の通りである。
【０１３２】
第２引き戸Ｄ２の左案内ピン６４ｄは、図２２に示すように、二つ重ねて設けてある回転体５４３，５４３の上に、径の大きな案内体５４２を備えている。そして、図３３に示すように、左案内ピン６４ｄの案内体５４２は、その底面部が第２召合せガイド溝７ｄの通過防止部７１ｄ上をスライド走行し、回転体５４３，５４３が通過防止部７１ｄで囲まれた凹部７１１を走行する。
【０１３３】
また、図３３に示すように、第２召合せガイド溝７ｄは、深さが「中」に設定されているため、深さが「浅」に設定された第１召合せガイド溝７ｃとの交差部分に通過防止部７１２が形成されている。よって、第２引き戸Ｄ２の左案内ピン６４ｄは、回転体５４３が通過防止部７１２に沿って移動するので、第１召合せガイド溝７ｃに入り込むことはない。
【０１３４】
＜更に図１８(ｂ)に示す状態まで、第２引き戸Ｄ２を移動させた場合＞
第２引き戸Ｄ２の右案内ピン５４ｄは、図３４に示すように、第２斜行ガイド溝１０ｄを通過して第２直行ガイド溝８ｄ内を走行する。この理由は以下の通り、第１引き戸Ｃ１の場合と本質的に同じである。
【０１３５】
図２２に示すように、第２引き戸Ｄ２の右案内ピン５４ｄの案内体５４２は、左案内ピン６４ｄの案内体５４２よりも高さ方向の位置が低い。
また、図３４に示すように、第２収容ガイド溝９ｄは、第２直行ガイド溝８ｄとの境目には、通過防止部９２ｄが形成されている。
このため、第２引き戸Ｄ２の右案内ピン５４ｄは、案内体５４２ｃが通過防止部９２ｄを沿いながら（当接しながら）、第２収容ガイド溝１０ｄから第２直行ガイド溝８ｄへと走行する。
【０１３６】
逆に、出入口を閉める方向に（敷居２ａの左側へ）第２引き戸Ｄ２を移動させた場合、第２引き戸Ｄ２の左案内ピン５４ｄは、通過防止部９２ｄに沿いながら（当接しながら）移動し、第２直行ガイド溝８ｄから第２収容ガイド溝９ｄに入り込むことはない。
【０１３７】
＜更に図１８(ｃ)に示す状態まで、第２引き戸Ｄ２を移動させた場合＞
図１８(ｃ)に示すように、第２引き戸Ｄ２の左案内ピン６４ｄ及び右案内ピン５４ｄは、第１直行ガイド溝８ｃ及び第２直行ガイド溝８ｄを走行しながら左側へ移動する。
【０１３８】
次いで、第２引き戸Ｄ２は更に左側へ移動することで、左案内ピン５４ｄは第１直行ガイド溝８ｄを経て第１収容ガイド溝９ｃを走行する。その際、第２引き戸Ｄ２の左案内ピン６４ｄは、第１斜行ガイド溝１０ｃ内に入り込むことが防止される。この理由は以下の通り、第１引き戸Ｃ１の場合と本質的に同じである。
【０１３９】
図２２に示すように、第２引き戸Ｄ２の左案内ピン６４ｄの案内体５４２は、右案内ピン５４ｄの案内体５４２よりも高さ方向の位置が高い。また、第２引き戸Ｄ２の左案内ピン６４ｄは、図３５に示すように、案内体５４２の外径が、第１斜行ガイド溝１０ｃ側の基端側に設けてある通過防止部１００ｃ，１００ｃの間隙（選択通過部１０１ｃの上部側）の幅の広さより大きい。
つまり、左案内ピン６４ｄの案内体５４２は、通過防止部１００ｃ，１００ｃに当たる高さに設定されている。
したがって、左案内ピン５４ｃは、通過防止部１００ｃ，１００ｃが邪魔になり、第２斜行ガイド溝１０ｃに入り込むことはない。
【０１４０】
以上説明したように、本実施の形態に係る引き戸構造によれば、各ガイド溝７ｃ,…の深さの違いによって生じる通過防止部７１２,９２ｃ，９２ｄや各ガイド溝１０ｃ，１０ｄの幅の広さを狭くする通過防止部１００ｃ，１００ｄにより、各案内ピン５４ｃが他のガイド溝内を走行することはない。
【０１４１】
これにより、ガイド溝２００の所定の位置に切替金具等の他の切り替え手段を別途設けなくても、引き戸Ｃ１，Ｄ２を円滑に引き違えることができる。よって、切替金具等を設けた場合、長期の使用によって切替金具が破損し、引き戸を円滑に開け閉めできなくなるといった不都合も生じない。
【０１４２】
なお、図２２で第１引き戸Ｃ１下面の右案内ピン５５ｃと、第２引き戸Ｄ２下面の左案内ピン６４ｄの位置を左右取り替えて引き戸Ｃ１，Ｄ２を構成することもできる。この場合、図２で敷居２ａのガイド溝２００の形状（深さと溝の幅）は、左右対象となる。
【０１４３】
その他の作用・効果については、第１の実施の形態に係る引き戸構造とほぼ同様であるので、説明を省略する。
【０１４４】
［実施の形態４］
図３６は、本発明に係る引き戸構造の更に他の実施の形態を示しており、第１引き戸と第２引き戸の位置関係を示す平面視断面説明図である。
図３７は、図３６のXII−XII部分に対応する断面を示す拡大斜視説明図である。
本実施の形態に係る引き戸構造では、第３の実施の形態に係る引き戸構造（図１６参照）と比較して、主に敷居２ｂ及び鴨居（図示省略）のガイド溝２００ａの構成が相違している。
【０１４５】
敷居２ｂを例にとって詳しく説明すると、図３７に示すように、ガイド溝２００ａは、断面略「コ」状の取付溝２４に、プラスチックや金属等で成形された複数（本実施の形態では合計５つ）のガイドレール２５１,２５２，２５３，２５４，２５５を嵌入れて連結することにより構成されている。
【０１４６】
例えば木製の敷居２ｂ本体に断面略「コ」状の取付溝２４を、敷居２ｂの長手方向に連続して形成する。ガイドレール２５１,…は、各ガイド溝２００ａの所要箇所の形状に応じて、プレスまたは型成形等でそれぞれ形成されている。
【０１４７】
即ち、図３６で左側から第１斜行ガイド溝１０ｃ及び第１収容ガイド溝９ｃを構成する部分に、ガイドレール２５１が設けてある。
第１直行ガイド溝８ｃを構成する部分に、ガイドレール２５２が設けてある。
第１召合せガイド溝７ｃ及び第２召合せガイド溝７ｄを構成する部分に、ガイドレール２５３が設けてある。
第２直行ガイド溝８ｄを構成する部分に、ガイドレール２５４が設けてある。
第２収容ガイド溝９ｄ及び第２斜行ガイド溝１０ｄを構成する部分に、ガイドレール２５５が設けてある。
各ガイドレール２５１,２５２，２５３，２５４，２５５は、例えば接着剤等によって取付溝２４に固定されている。
【０１４８】
以上のようにして、ガイドレール２５１,…を予めプラスチックや金属等で成形することにより、木工フライス盤等の木工機械を使用してガイド溝２００ａを直接的に切削する場合と比較して、所定の深さの溝を容易に高精度で大量生産することができる。
なお、図３７で符号２６は、第１引き戸Ａ及び第２引き戸Ｂを円滑に移動させるために使用されるもので、摩擦抵抗が低いプラスチック製や金属製の滑り板を示している。
【０１４９】
本明細書で使用している用語と表現はあくまで説明上のものであって、限定的なものではなく、上記用語、表現と等価の用語、表現を除外するものではない。
また、本発明は図示の実施の形態に限定されるものではなく、技術思想の範囲内において種々の変形が可能である。
更に、特許請求の範囲には、請求項の記載の内容を理解するため、図面において使用した符号を括弧を用いて記載しているが、特許請求の範囲を図面記載のものに限定するものではない。
【０１５０】
【発明の効果】
本発明は上記構成を備え、次の効果を有する。
（ａ）本発明によれば、第１引き戸Ａ及び第２引き戸Ｂを閉めた状態では、第２引き戸の一端部が第１引き戸の一端部と隣接し、且つ、第１引き戸と第２引き戸とが面一または本質的に面一になる。したがって、各引き戸Ａ，Ｂを閉めたときの気密性は高く、隙間から風やほこり等が侵入したり、冷・暖房運転時の冷気や暖気が漏れたり、更には外部の騒音が伝わりやすいといった不都合は生じにくい。
【０１５１】
（ｂ）閉じた状態の第１引き戸と第２引き戸の隣接面のうち、上記第１引き戸の隣接面は傾斜して形成され、上記第２引き戸の隣接面は第１引き戸の隣接面に合致するように傾斜して形成されているもの、第１引き戸または第２引き戸の少なくともどちらか一方には、第１引き戸と第２引き戸を閉じた状態で、戸板の隣接部分の線を隠すカバー部材が設けてあるもの、あるいは上部案内部材に、閉じた状態の第１引き戸と上部案内部材及び閉じた状態の第２引き戸と上部案内部材の間に形成される隙間を塞ぐカバー部材が設けてあり、下部案内部材には、閉じた状態の第１引き戸と下部案内部材及び閉じた状態の第２引き戸と下部案内部材の間に形成される隙間を塞ぐカバー部材が設けてあるものでは、各引き戸を閉めたときの気密性をより向上させることができる。
【０１５２】
（ｃ）また開口部を閉じた状態では、第１引き戸及び第２引き戸は面一または本質的に面一になるので、正面からはあたかも開き戸のように見える。したがって、洋風の部屋に使用したような場合でも、引き戸構造が調和しにくいといった美観的な問題は生じにくい。
【０１５３】
（ｄ）ガイド溝の幅と溝の深さと、案内部材が有する案内体の幅と高さ方向の位置との組み合わせにより、開口部を閉じた状態で、第１引き戸及び第２引き戸が正面側を面一または本質的に面一にして横並びに状態になり、開口部を開いた状態で、一方の引き戸が他方の引き戸の背面側に配置されるように構成されているものでは、ガイド溝に切替金具等の他の切り替え手段を別途設けなくても、引き戸を円滑に引き違えることができる。また、切替金具等を設けた場合と相違して、長期の使用によって切替金具が破損し、引き戸を円滑に開け閉めできなくなるといった不都合も生じない。
【０１５４】
（ｅ）ガイド溝が、プレスまたは型成形によって形成されたガイドレールを備えているものでは、ガイドレールを予めプラスチックや金属等で成形しておけば、木工フライス盤等の木工機械を使用してガイド溝を直接的に切削する場合と比較して、所定の深さの溝を容易に高精度で大量生産することができる。
【０１５５】
【図面の簡単な説明】
【図１】本発明に係る引き戸構造を出入口の開閉機構に採用した場合の一実施の形態を示す引き戸構造の正面視説明図。
【図２】第１引き戸と第２引き戸の位置関係を示す平面視断面説明図。
【図３】第１引き戸側の出入口を開いた状態を示す平面視断面説明図。
【図４】図１に示す第１引き戸と第２引き戸を正面側の上斜め方向から見た説明図。
【図５】図１に示す第１引き戸と第２引き戸を正面側の下斜め方向から見た説明図。
【図６】敷居を示す平面視説明図。
【図７】第２引き戸を開いて第１引き戸の背面側に移動させた状態を示す側面視拡大説明図。
【図８】図５に示す第１引き戸の下部側に設けてあり、敷居の上面を走行する戸車を正面斜め方向から見た説明図。
【図９】図５に示す第２引き戸の下部側に設けてあり、敷居のガイド溝を走行する案内部材と、敷居の上面を走行する戸車を正面斜め方向から見た説明図。
【図１０】  鴨居を示す底面視説明図。
【図１１】  図４に示す第１引き戸の上部側に設けてあり、鴨居のガイド溝を走行する案内部材を背面斜め方向から見た説明図。
【図１２】  図４に示す第２引き戸の上部側に設けてあり、鴨居のガイド溝を走行する案内部材を背面斜め方向から見た説明図。
【図１３】  本発明に係る引き戸構造を食器棚の開閉機構に採用した場合の一実施の形態を示す引き戸構造の正面視説明図。
【図１４】  上部側の引き戸構造を構成する第１引き戸と第２引き戸の位置関係を示す平面視断面説明図。
【図１５】本発明に係る引き戸構造を出入口の開閉機構に採用した場合の他の実施の形態を示しており、第１引き戸と第２引き戸が両方とも閉められて面一となっている状態を示す正面視説明図。
【図１６】図１５のII−II部分に対応する断面を示す拡大説明図である。
【図１７】  図１６で左側の第１引き戸を移動させて、左側の出入口を段階的に開いている状態を示す概略説明図。
【図１８】  図１６で右側の第２引き戸を移動させて、右側の出入口を段階的に開いている状態を示す概略説明図。
【図１９】  図１６に示す敷居の長手方向の中間部分を示す要部拡大説明図。
【図２０】  図１９の矢印III−III、IV−IV、V−V部分に対応する端面を示す概略説明図。
【図２１】  図１９の斜視説明図。
【図２２】  第１引き戸及び第２引き戸の上部側及び下部側をそれぞれ拡大した正面視説明図。
【図２３】  第１引き戸Ａ及び第２引き戸に設けられた、敷居（鴨居）のガイド溝を走行する各案内部材を示す拡大斜視説明図。
【図２４】  図１６に示す敷居の長手方向の左端部分を示す要部拡大説明図。
【図２５】  図２４の矢印VI−VI部分、VII−VII部分、VIII−VIIIの通過防止部側に対応する端面を示す概略説明図。
【図２６】  図２４に示す敷居の長手方向の左端部分を、敷居の中央側から見た要部拡大斜視説明図。
【図２７】図１６に示す敷居の長手方向の右端部分を示す要部拡大説明図。
【図２８】  図２７の矢印IX−IX部分、X−Xの通過防止部側、XII−XII部分に対応する端面を示す概略説明図。
【図２９】  図２７に示す敷居の長手方向の右端部分を、敷居の中央側から見た要部拡大斜視説明図。
【図３０】図１７(ａ)に対応し、第１引き戸の右案内ピンの動きを示す拡大斜視説明図。
【図３１】図１７(ｂ)に対応し、第１引き戸の左案内ピンの動きを示す拡大斜視説明図。
【図３２】  図１７(ｃ)に対応し、第１引き戸の左案内ピンの動きを示す拡大斜視説明図。
【図３３】  図１８(ａ)に対応し、第２引き戸の左案内ピンの動きを示す拡大斜視説明図。
【図３４】  図１８(ｂ)に対応し、第２引き戸の右案内ピンの動きを示す拡大斜視説明図。
【図３５】  図１８(ｃ)に対応し、第２引き戸の左案内ピンの動きを示す拡大斜視説明図。
【図３６】本発明に係る引き戸構造の更に他の実施の形態を示しており、第１引き戸と第２引き戸の位置関係を示す平面視断面説明図。
【図３７】      図３６のXII−XII部分に対応する断面を示す拡大斜視説明図。
【符号の説明】
Ａ，Ａ１，Ｃ１  第１引き戸
Ｂ，Ｂ１，Ｄ２  第２引き戸
１  鴨居
２  敷居
１０，２０  カバー部材
１１，１２，２１  ガイド溝
１２１，１２２  ガイド溝
２２，２２１，２２２  ガイド溝
２２１ａ，２２２ａ  直線部
２２１ｂ，２２２ｂ  曲部
３０  第１引き戸Ａの右端側
３１，４１  引手
３２  召合せ
３３  戸車
３３１  スライド板
３３２  車輪
３４  案内部材
３４１  軸部
３４２  回転体
３４３  開口部
３４４  突出片
３４５  コイルバネ
３４６  押ボタン
４０  第２引き戸Ｂの左端側
４２ａ，４２ｂ，４２ｃ，４２ｄ  案内部材
４２０  筒状体
４２１  軸部
４２２  回転体
４２３  可動体
４２４  ガイド長孔
４２５  締付ネジ
４２６  貫通孔
４２７  ロックピン
４２８  摘み
４３  戸車
４３１  ボール
４４  切欠部
４５  カバー部材
５，６  開閉機構
１ａ  鴨居
２ａ，２ｂ  敷居
Ｃ１  第１引き戸
Ｄ２  第２引き戸
７ｃ  第１召合せガイド溝
７ｄ  第２召合せガイド溝
８ｃ  第１直行ガイド溝
８ｄ  第２直行ガイド溝
９ｃ  第１収容ガイド溝
９ｄ  第２収容ガイド溝
１０  カバー部材
２０  カバー部材
１０ｃ  第１斜行ガイド溝
１０ｄ  第２斜行ガイド溝
２３  目隠し部材
２４  取付溝
２６  滑り板
３５  柱部材
３６  柱部材
３５１，３６１  切込部
４３  戸車
５１  右端側正面部
５２  右端側背面部分
５３  左端部分
５４ｃ  左案内ピン
５４ｄ  右案内ピン
６１  左端側正面部
６２  左端側背面部分
６３  右端部分
６４ｄ  左案内ピン
７１ｄ  通過防止部
９１ｃ，９２ｃ，９２ｄ  通過防止部
９２ｃ  通過防止部
１０１ｃ，１０１ｄ  選択通過部
２００，２００ａ  ガイド溝
１００ｃ，１００ｄ  通過防止部
２３１  合わせ部
２５１〜２５５  ガイドレール
４３１  ボール
５４１  軸部
５４２，５４２ｃ  案内体
５４３  回転体
５５１  軸部
７１１  凹部
７１２  通過防止部
５４３，５４３  回転体
【図１】
0003693628.tif 000002
【図２】
0003693628.tif 000003
【図３】
0003693628.tif 000004
【図４】
0003693628.tif 000005
【図５】
0003693628.tif 000006
【図６】
0003693628.tif 000007
【図７】
0003693628.tif 000008
【図８】
0003693628.tif 000009
【図９】
0003693628.tif 000010
【図１０】
0003693628.tif 000011
【図１１】
0003693628.tif 000012
【図１２】
0003693628.tif 000013
【図１３】
0003693628.tif 000014
【図１４】
0003693628.tif 000015
【図１５】
0003693628.tif 000016
【図１６】
0003693628.tif 000017
【図１７】
0003693628.tif 000018
【図１８】
0003693628.tif 000019
【図１９】
0003693628.tif 000020
【図２０】
0003693628.tif 000021
【図２１】
0003693628.tif 000022
【図２２】
0003693628.tif 000023
【図２３】
0003693628.tif 000024
【図２４】
0003693628.tif 000025
【図２５】
0003693628.tif 000026
【図２６】
0003693628.tif 000027
【図２７】
0003693628.tif 000028
【図２８】
0003693628.tif 000029
【図２９】
0003693628.tif 000030
【図３０】
0003693628.tif 000031
【図３１】
0003693628.tif 000032
【図３２】
0003693628.tif 000033
【図３３】
0003693628.tif 000034
【図３４】
0003693628.tif 000035
【図３５】
0003693628.tif 000036
【図３６】
0003693628.tif 000037
【図３７】
0003693628.tif 000038